(57)【要約】【課題】ＰＴＰシートの製造過程における異種錠の混入検査に関し、検査効率及び検査精度の飛躍的な向上を図ることのできる錠剤検査装置及びＰＴＰ包装機を提供する。【解決手段】錠剤検査装置１２は、容器フィルムのポケット部に収容された錠剤に対し光を照射可能な照明装置２２と、これにより照明された範囲内の錠剤を撮像可能なカメラ２３と、カメラ２３から出力される画像信号を処理する画像処理装置２４とを備えている。画像処理装置２４は、画像信号から得た画像データに基づき、錠剤を認識する塊処理と、当該認識した錠剤をその重心を中心に所定角度回転する回転処理と、当該錠剤の領域うち、回転の前後で重ならない部分の領域の面積を差分面積として算出する差分面積算出処理と、当該差分面積が許容範囲内か否かを判定する対称性判定処理とを行うことにより、異種錠の混入を検査する。【選択図】      図３
2011112527.tif 000002
【特許請求の範囲】
【請求項１】
ＰＴＰシートの製造過程において、搬送される帯状の包装用フィルムに形成されたポケット部に収容された錠剤を検査する錠剤検査装置であって、
前記ポケット部に収容された錠剤に対し光を照射可能な照明手段と、
前記照明手段により照明された範囲内の錠剤を撮像可能な撮像手段と、
前記撮像手段から出力される画像信号を処理する画像処理装置とを備え、
前記画像処理装置は、
前記画像信号から得た画像データに基づき、前記錠剤を認識する塊処理と、
前記認識した錠剤をその重心を中心に所定角度回転する回転処理と、
前記錠剤の領域うち、前記回転の前後で重ならない部分の領域の面積を差分面積として算出する差分面積算出処理と、
前記差分面積又は当該差分面積が前記錠剤において占める割合が許容範囲内か否かを判定する対称性判定処理とを行うことにより、
異種錠混入検査を行うことを特徴とする錠剤検査装置。
【請求項２】
前記所定角度を３６０°／ｎ（ｎは３以上の自然数）とした検査を行うことを特徴とする請求項１に記載の錠剤検査装置。
【請求項３】
前記所定角度を３６０°／２ｎ（ｎは３以上の自然数）とした検査を行うことを特徴とする請求項１又は２に記載の錠剤検査装置。
【請求項４】
前記画像処理装置は、
前記認識した錠剤の輪郭上の各点と重心との距離を算出する距離算出処理と、
前記算出された距離のうちの最大値と最小値の差又は比を算出する比較処理と、
前記最大値と最小値の差又は比が許容範囲内である否かを判定する大小判定処理とを行うことにより、
第２の異種錠混入検査を行うことを特徴とする請求項１乃至３のいずれかに記載の錠剤検査装置。
【請求項５】
請求項１乃至４のいずれかに記載の錠剤検査装置を備えたことを特徴とするＰＴＰ包装機。
【発明の詳細な説明】
【技術分野】
【０００１】
本発明は、ＰＴＰシートの製造に際し用いられる錠剤検査装置、及び、該錠剤検査装置を備えたＰＴＰ包装機を含む技術分野に属するものである。
【背景技術】
【０００２】
一般に、ＰＴＰシートは、錠剤等が充填されるポケット部が形成された樹脂製の包装用フィルムと、その包装用フィルムにポケット部の開口側を密封するように前記包装用フィルムに取着されるアルミニウム製のカバーフィルムとから構成されている。
【０００３】
ＰＴＰシートの製造に際しては、ポケット部に錠剤等が充填された後、異種錠の混入を検出する異種錠混入検査が行われる。
【０００４】
かかる検査の手法としては、錠剤の色、大きさ、形状など外観の違いを検査するのが一般的である。中でも、形状識別検査では、予め基準となる錠剤の画像を記憶しておき、当該基準画像と検査対象たる錠剤の画像とを比較して、異形状の錠剤を検出するパターンマッチング方式が知られている（例えば、特許文献１参照）。
【先行技術文献】
【特許文献】
【０００５】
【特許文献１】特開平１１−１６７６４０号公報
【発明の概要】
【発明が解決しようとする課題】
【０００６】
しかしながら、上記従来技術は、画像データから検査対象となる錠剤の重心位置を算出し、当該錠剤の重心位置に、予め記憶したパターンマッチング用の基準画像の重心を合わせた上で、当該基準画像を所定角度ずつ回転させていき、両者が一致するか否かをその都度判定するといったもので、非常に処理数が多く、手間のかかるものであった。また、錠剤は、類似形状のものであっても品種毎に多少形状が異なるため、品種毎にパターンマッチング用の基準画像を登録する必要があった。その結果、検査効率の向上が妨げられていた。
【０００７】
また、パターンマッチング用の基準画像を登録したとしても、当該基準画像自体が登録時の撮像状況等により適正なものでないおそれがある。さらに、画像データから認識される検査対象たる錠剤の形状にも、製造誤差やポケット部への充填姿勢などにより多少のバラツキが生じるため、適正な錠剤であっても、パターンマッチングが一致しないおそれもある。その結果、検査精度が低下するおそれがあった。
【０００８】
本発明は、上記事情に鑑みてなされたものであり、ＰＴＰシートの製造過程における異種錠の混入検査に関し、検査効率及び検査精度の飛躍的な向上を図ることのできる錠剤検査装置及びＰＴＰ包装機を提供することを主たる目的の一つとしている。
【課題を解決するための手段】
【０００９】
以下、上記課題を解決するのに適した各手段につき項分けして説明する。なお、必要に応じて対応する手段に特有の作用効果を付記する。
【００１０】
手段１．ＰＴＰシートの製造過程において、搬送される帯状の包装用フィルムに形成されたポケット部に収容された錠剤を検査する錠剤検査装置であって、
前記ポケット部に収容された錠剤に対し光を照射可能な照明手段と、
前記照明手段により照明された範囲内の錠剤を撮像可能な撮像手段と、
前記撮像手段から出力される画像信号を処理する画像処理装置とを備え、
前記画像処理装置は、
前記画像信号から得た画像データに基づき、前記錠剤を認識する塊処理と、
前記認識した錠剤をその重心を中心に所定角度回転する回転処理と、
前記錠剤の領域うち、前記回転の前後で重ならない部分の領域の面積を差分面積として算出する差分面積算出処理と、
前記差分面積又は当該差分面積が前記錠剤において占める割合が許容範囲内か否かを判定する対称性判定処理とを行うことにより、
異種錠混入検査を行うことを特徴とする錠剤検査装置。
【００１１】
上記手段１によれば、画像データから認識された錠剤自身を回転させて、その回転前後で重ならない領域の面積を求めるといった比較的簡単な処理を基に異種錠の検出を行うことができる。
【００１２】
円形錠剤の場合、どのような角度で回転したとしても、回転の前後で錠剤の輪郭は一致し、差分面積は理論的には０となる。但し、実際には錠剤の充填姿勢の傾き等の影響により、小さな差分面積は算出される可能性がある。つまり、任意の角度で回転して常に差分面積が許容範囲内となるものであれば、欠けのない良品の円形錠剤と判定することができる。
【００１３】
これに対し、四角形等の非円形錠剤の場合、回転角度によっては、回転の前後で錠剤の輪郭がほぼ一致する場合もあれば、輪郭が一致せず、比較的大きな差分面積が得られる場合もある。例えば正三角形の錠剤であれば回転角度１２０°、正四角形の錠剤であれば回転角度９０°、正五角形の錠剤であれば回転角度７２°で、錠剤の輪郭がほぼ一致する。
【００１４】
これを利用して、所定角度で錠剤を回転させることにより、任意の形状の錠剤と、それ以外の異形状の錠剤とを判別することができる。
【００１５】
このように本手段によれば、パターンマッチング方式のように、基準画像と検査対象との座標位置を合わせたり、１つの錠剤について画像の回転処理を何度も繰り返す必要がない。結果として、１つの錠剤にかかる処理数が格段に減り、検査処理速度を格段に速めることができる。加えて、品種毎に基準画像を登録しておく手間もない。
【００１６】
また、本手段は、比較する対象が検査対象たる錠剤自身の回転の前後の画像であるため、個々の錠剤の形状や大きさのバラツキ等による影響が少なく、適切な検査を行うことができる。
【００１７】
結果として、異種錠の混入検査に係る検査効率及び検査精度の飛躍的な向上を図ることができる。
【００１８】
手段２．前記所定角度を３６０°／ｎ（ｎは３以上の自然数）とした検査を行うことを特徴とする手段１に記載の錠剤検査装置。
【００１９】
上記手段２によれば、円形錠剤、及び、正ｎ×ｍ角形（ｎは３以上、ｍは１以上の自然数）の錠剤と、それ以外の形状の錠剤とを判別することができる。例えば、正三角形（ｎ＝３，ｍ＝１）や正六角形（ｎ＝３，ｍ＝２）の錠剤を１２０°（３６０°／３）回転させた場合には、回転の前後で錠剤の輪郭がほぼ一致する。一方、それ以外の形状の錠剤では、回転の前後で錠剤の輪郭が一致しない。
【００２０】
なお、ここでいう「正ｎ角形」には、ｎ個の角部が尖った完全な正ｎ角形のみならず、ｎ個の角部が丸みを帯びたものや、ｎ個の各辺が直線形状でなく、やや丸みを帯びたもの等も含まれる。つまり、錠剤の重心からｎ個の各角部まで距離が均等な形状であれば、ここでいう「正ｎ角形」に含まれる。
【００２１】
手段３．前記所定角度を３６０°／２ｎ（ｎは３以上の自然数）とした検査を行うことを特徴とする手段１又は２に記載の錠剤検査装置。
【００２２】
上記手段３によれば、円形錠剤、及び、正ｎ×ｍ角形（ｎは３以上、ｍは２以上の自然数）と、正ｎ角形を含む、それ以外の形状の錠剤とを判別することができる。例えば、正六角形（ｎ＝３，ｍ＝２）の錠剤を６０°（３６０°／（２×３））回転させた場合には、回転の前後で錠剤の輪郭がほぼ一致する。一方、正三角形（ｎ＝３）の錠剤を６０°回転させた場合には、回転の前後で錠剤の輪郭が一致しない。
【００２３】
手段４．前記画像処理装置は、
前記認識した錠剤の輪郭上の各点と重心との距離を算出する距離算出処理と、
前記算出された距離のうちの最大値と最小値の差又は比を算出する比較処理と、
前記最大値と最小値の差又は比が許容範囲内である否かを判定する大小判定処理とを行うことにより、
第２の異種錠混入検査を行うことを特徴とする手段１乃至３のいずれかに記載の錠剤検査装置。
【００２４】
画像の回転処理は、画像処理装置にかかる負担が大きくかつ時間のかかる処理である。そのため、ＰＴＰシートの製造過程においては、画像の回転処理を１つの錠剤につき何度も実行することは困難であり、ＰＴＰシートの生産効率を低下させるおそれがある。
【００２５】
これに対し、本手段によれば、画像の回転処理を行うことなく、任意の形状の錠剤と、それ以外の異形状の錠剤とを判別することができる。
【００２６】
例えば、円形錠剤の場合、重心と輪郭上の各点との距離の最大値と最小値の差は理論的には０となる。但し、実際には錠剤の充填姿勢の傾き等の影響により、小さな差は算出される可能性がある。つまり、重心と輪郭上の各点との距離の最大値と最小値の差が許容範囲内となるものであれば、欠けのない良品の円形錠剤と判定することができる。
【００２７】
これに対し、正三角形の錠剤などの場合には、重心と輪郭上の各点との距離の最大値と最小値の差が比較的大きな値となる。
【００２８】
手段５．手段１乃至４のいずれかに記載の錠剤検査装置を備えたことを特徴とするＰＴＰ包装機。
【００２９】
上記手段５のように、錠剤検査装置をＰＴＰ包装機に備えることで、ＰＴＰシートの製造過程において不良品を効率的に除外できる等のメリットが生じる。
【図面の簡単な説明】
【００３０】
【図１】一実施形態におけるＰＴＰ包装機等の概略構成を示す模式図である。
【図２】（ａ）はＰＴＰシートを示す斜視図であり、（ｂ）はＰＴＰシートを示す部分拡大断面図であり、（ｃ）は正三角形の錠剤の平面図である。
【図３】錠剤検査装置の電気的構成を示すブロック図である。
【図４】「検査ルーチン」を示すフローチャートである。
【図５】錠剤の回転処理等を説明するための模式図である。
【図６】対称性検査を説明するための模式図である。
【図７】凹凸検査を説明するための模式図である。
【発明を実施するための形態】
【００３１】
以下、一実施形態について、図面を参照しつつ説明する。本実施形態では、錠剤検査装置をＰＴＰ包装機に装備することによって、ＰＴＰ包装機においてＰＴＰシートの不良が検査される。
【００３２】
図２（ａ），（ｂ）に示すように、ＰＴＰシート１は、複数のポケット部２を備えた包装用フィルムとしての容器フィルム３と、ポケット部２を塞ぐようにして容器フィルム３に取着されたカバーフィルムとしての密封用フィルム４とを有している。
【００３３】
容器フィルム３は、例えば、ＰＰ（ポリプロピレン）やＰＶＣ（ポリ塩化ビニル）等の比較的硬質で所定の剛性を有する熱可塑性樹脂材料によって構成され、光透過性を有している（ここでは、透明を呈している）。密封用フィルム４は、アルミニウムによって構成されている。
【００３４】
また、各ポケット部２には、錠剤５が１つずつ収容されている。本実施形態の錠剤５は、図２（ｃ）に示すように、３つの角部５ａが丸みを帯び、３つの辺５ｂが直線形状となった正三角形をなしている。また、本実施形態の錠剤５は白色に近い色をしているが、色はこれに限定されるものではない。
【００３５】
図１に示すように、ＰＴＰ包装機７は、錠剤５を容器フィルム３に自動的に包装するものである。具体的には、ＰＰ、ＰＶＣなどの帯状の樹脂フィルムをフィルム送りロール９とテンションロール１０，１１とで、加熱装置１２及び成形装置１３に送り込み、錠剤５充填用のポケット部２を樹脂フィルムに成形する。そして、樹脂フィルムにポケット部２の成形された容器フィルム３が、充填装置１４の下まで送られてくると、充填装置１４が各ポケット部２に錠剤５を自動的に充填する。
【００３６】
一方、帯状に形成された密封用フィルム４は、テンションロール１６，１７を介してフィルム受けロール１８の方へと案内されている。フィルム受けロール１８には、加熱ロール１９が圧接可能となっており、該加熱ロール１９の外周面には、僅かに凸状に形成された格子状の線（図示略）が設けられている。そして、両ロール１８，１９間に、容器フィルム３及び密封用フィルム４が送り込まれるようになっている。両フィルム３，４が、両ロール１８，１９間を加熱圧接状態で通過することで、容器フィルム３に密封用フィルム４が取着される。これによって、錠剤５が各ポケット部２に充填された長尺状のＰＴＰフィルム２０が製造される。
【００３７】
さて、前記充填装置１４の下流側、かつ、前記フィルム受けロール１８及び加熱ロール１９の上流側には、容器フィルム３の移送経路に沿って、容器フィルム３の不良を検査するための錠剤検査装置２１が配設されている。当該錠剤検査装置２１は、錠剤５とは品種の異なる（形状の異なる）異種錠の混入の検出を主目的とする検査を行うものである。
【００３８】
上記検査を経て、容器フィルム３に密封用フィルム４が取着された後、ＰＴＰフィルム２０は、図示しない打抜装置によってＰＴＰシート１単位に裁断される。なお、錠剤検査装置２１によって不良品判定された場合、その不良品判定となったＰＴＰシートは、図示しない不良シート排出機構によって別途排出される。
【００３９】
さて、ＰＴＰ包装機７の概略は以上のとおりであるが、以下においては図３等に基づき、錠剤検査装置２１についてより具体的に説明する。
【００４０】
錠剤検査装置２１は、照明手段としての照明装置２２、撮像手段としてのカメラ２３、画像処理装置２４、モニタ２５、及びキーボード２６等を備えている。
【００４１】
照明装置２２は、容器フィルム３のポケット部２側に設けられており（図１参照）、面発光が可能となっている。
【００４２】
また、カメラ２３は、容器フィルム３を介して照明装置２２とは反対側（図１では上側）に設けられており、照明装置２２から照射される光のうち、容器フィルム３を透過した光を撮像可能となっている。本実施形態では、カメラ２３として、ＣＣＤカメラが採用されている。
【００４３】
このように、本実施形態では、照明装置２２から照射される光が、容器フィルム３及び錠剤５を照らし、そこを透過した光が、カメラ２３によって二次元撮像されるように構成されている。そして、カメラ２３によって撮像された画像データは、カメラ２３内部においてデジタル信号に変換された上で、デジタル信号の形で画像処理装置２４に入力されるようになっている。
【００４４】
画像処理装置２４は、図３に示すように、カメラ２３に対応する画像メモリ４１、二値化手段４３、判定用メモリ４４、検査結果及び統計データメモリ４５、カメラタイミング制御手段４６、並びに、ＣＰＵ及び入出力インターフェース４７などから構成され、後述するような画像データの処理や、不良判定（検査）等を実施可能となっている。
【００４５】
カメラ２３で撮像された二次元画像データは、デジタル信号に変換された後、対応する画像メモリ４１に記憶される。また、画像データは、検査時において、二値化手段４３により二値化された後、再度画像メモリ４１に記憶される。
【００４６】
ＣＰＵ及び入出力インターフェース４７は、各種処理プログラムを判定用メモリ４４の記憶内容などを使用しつつ実行するとともに、ＰＴＰ包装機７に制御信号を送出し又はＰＴＰ包装機７から動作信号などの各種信号を送受信するためのものである。これによって、例えば、ＰＴＰ包装機７の不良シート排出機構などを制御することができるようになっている。また、ＣＰＵ及び入出力インターフェース４７は、モニタ２５に表示データを送出する機能をも有する。かかる機能により、二値あるいは濃淡の画像データや不良検査結果などを、モニタ２５に表示させることができるようになっている。さらに、ＣＰＵ及び入出力インターフェース４７は、キーボード２６からのデータを入力する機能をも有する。
【００４７】
検査結果及び統計データメモリ４５は、画像データに関する座標等のデータ、検査結果データ、及び、該検査結果データを確率統計的に処理した統計データなどを記憶するものである。これらの検査結果データや統計データは、ＣＰＵ及び入出力インターフェース４７の制御に基づき、適宜モニタ２５に表示させることができる。また、これらの検査結果データや統計データに基づいてＣＰＵ及び入出力インターフェース４７がＰＴＰ包装機７に制御信号を送出することもできる。
【００４８】
カメラタイミング制御手段４６は、カメラ２３が撮像する画像データを、画像メモリ４１に取り込むタイミングを制御するものである。かかるタイミングはＰＴＰ包装機７に設けられた図示しないエンコーダからの信号に基づいて制御され、容器フィルム３を所定量送るごとにカメラ２３によるシート単位（例えば打ち抜かれるＰＴＰシート単位）で撮像（撮影）が行われる。
【００４９】
次に、上記不良検査（異種錠混入検査）の手順について図４のフローチャート等に従って説明する。なお、本実施形態では、正三角形の錠剤５とは別に、円形及び正六角形の異種錠が混入するおそれのある場合について説明する。
【００５０】
同図に示すように、「検査ルーチン」において、まずステップＳ１０１では、二値化処理を実行する。具体的には、画像メモリ４１に記憶された画像データに対し、二値化手段４３にて二値化処理が行われる。
【００５１】
ステップＳ１０２では、塊処理を実行する。具体的には、ステップＳ１０１において得られた二値化データに基づき、錠剤５及び異種錠（以下、錠剤５等という）に相当する錠剤領域の認識を行う。
【００５２】
ステップＳ１０３では、第１対称性検査を行う。具体的には、まず図５に示すように、ステップＳ１０２で認識された錠剤５等をその重心Ｇを中心に３０°回転する（回転処理）。続いて、錠剤５等の領域うち、回転の前後で重ならない部分の領域の面積（図５で散点模様を付した部分）の合計を差分面積Ｓｘとして算出する（差分面積算出処理）。ここで、正三角形の錠剤５及び正六角形の異種錠５１に関しては、その輪郭が回転の前後で一致しないため、差分面積Ｓｘとして比較的大きな値が算出される一方、円形の異種錠５２に関しては、その輪郭が回転の前後でほぼ一致するため、差分面積Ｓｘとして比較的小さな値が算出されることとなる。
【００５３】
ステップＳ１０４では、ステップＳ１０３において算出した各錠剤５等の差分面積Ｓｘが、予め定められた判定基準値Ｓ１以下か否かを判定する（対称性判定処理）。
【００５４】
そして、差分面積Ｓｘが判定基準値Ｓ１以下の場合には、ステップＳ１０８において不良判定を行い、本処理を一旦終了する。一方、差分面積Ｓｘが判定基準値Ｓ１よりも大きい場合には、ステップＳ１０５へ移行する。これにより、円形の異種錠５２が不良判定されることとなる。
【００５５】
ステップＳ１０５では、第２対称性検査を行う。具体的には、まず図６に示すように、ステップＳ１０２で認識された錠剤５等をその重心Ｇを中心に６０°回転する（回転処理）。続いて、錠剤５等の領域うち、回転の前後で重ならない部分の領域の面積（図６で散点模様を付した部分）の合計を差分面積Ｓｘとして算出する（差分面積算出処理）。ここで、正三角形の錠剤５に関しては、その輪郭が回転の前後で一致しないため、差分面積Ｓｘとして比較的大きな値が算出される一方、正六角形の異種錠５１に関しては、その輪郭が回転の前後でほぼ一致するため、差分面積Ｓｘとして比較的小さな値が算出されることとなる。
【００５６】
ステップＳ１０６では、ステップＳ１０５において算出した各錠剤５等の差分面積Ｓｘが、予め定められた判定基準値Ｓ２以下か否かを判定する（対称性判定処理）。
【００５７】
そして、差分面積Ｓｘが判定基準値Ｓ２以下の場合には、ステップＳ１０８において不良判定を行い、本処理を一旦終了する。一方、差分面積Ｓｘが判定基準値Ｓ２よりも大きい場合には、ステップＳ１０７において良品判定を行い、本処理を終了する。これにより、正六角形の異種錠５１が不良判定されることとなる。
【００５８】
なお、上記ステップＳ１０１からステップＳ１０８の処理は、ＰＴＰフィルム２０上の各錠剤５等について実行されるとともに、これらの各種検査結果は、モニタ２５やＰＴＰ包装機７（不良シート排出機構を含む）に出力される。そして、後にＰＴＰシート１となって裁断されたときに同一シート上に一つでも不良判定された異種錠５１，５２が含まれているときは、そのシートは不良と判断され排出される。
【００５９】
以上詳述したように、本実施形態によれば、画像データから認識された錠剤５等自身を回転させて、その回転前後で重ならない領域の面積を求めるといった比較的簡単な処理を基に異種錠５１，５２の検出を行うことができる。
【００６０】
従って、本実施形態によれば、パターンマッチング方式のように、基準画像と検査対象との座標位置を合わせたり、１つの錠剤５等について画像の回転処理を何度も繰り返す必要がない。結果として、１つの錠剤５等にかかる処理数が格段に減り、検査処理速度を格段に速めることができる。加えて、品種毎に基準画像を登録しておく手間もない。
【００６１】
また、本実施形態によれば、比較する対象が検査対象たる錠剤５等自身の回転の前後の画像であるため、個々の錠剤５等の形状や大きさのバラツキ等による影響が少なく、適切な検査を行うことができる。
【００６２】
結果として、異種錠混入検査に係る検査効率及び検査精度の飛躍的な向上を図ることができる。
【００６３】
以上説明した実施形態において、例えば、次のように構成の一部を適宜変更して実施することも可能である。勿論、以下において例示しない他の変更例も当然可能である。
【００６４】
（ａ）上記実施形態では、検査対象となる錠剤の態様例として、正三角形の錠剤５、正六角形の異種錠５１、及び、円形の異種錠５２を例示している。しかし、検査対象とする錠剤の形状はこれらに限定されるものではなく、正ｎ角形の錠剤であれば、回転処理における回転角度を任意に設定することにより判別可能となる。例えば、正四角形の錠剤であれば回転角度９０°、正五角形の錠剤であれば回転角度７２°で、回転前後における錠剤の輪郭がほぼ一致することとなる。なお、ここでいう「正ｎ角形」には、ｎ個の角部が尖った完全な正ｎ角形のみならず、ｎ個の角部が丸みを帯びたものや、ｎ個の各辺が直線形状でなく、やや丸みを帯びたもの等も含まれる。つまり、錠剤の重心からｎ個の各角部まで距離が均等な形状であれば、ここでいう「正ｎ角形」に含まれる。
【００６５】
（ｂ）上記実施形態では、正三角形の錠剤５、正六角形の異種錠５１、及び、円形の異種錠５２の３種類の錠剤の判別を行う構成となっている。これに限らず、２種類又は４種類以上の錠剤の判別を行う構成としてもよい。
【００６６】
例えば、円形の錠剤と、正ｎ×ｍ角形（ｎは３以上、ｍは１以上の自然数）の錠剤の２種類の錠剤の判別を行う場合には、回転角度を３６０°／（２×ｎ×ｍ）として対称性検査を行うことにより、両者を判別することができる。
【００６７】
また、円形の錠剤と、複数種類の正ｎ×ｍ角形（ｎは３以上、ｍは１以上の自然数）の錠剤との判別を行う場合には、混入が想定される正ｎ×ｍ角形の錠剤の角数ｎ×ｍの最大値をｋとするとともに、回転角度を３６０°／２ｋとして対称性検査を行うことにより、円形の錠剤と、それ以外の錠剤とを１回の対称性検査により判別することができる。例えば、正三角形（ｎ＝３，ｍ＝１）の錠剤５、及び、正六角形（ｎ＝３，ｍ＝２）の異種錠５１と、円形の異種錠５２とを判別する場合には、上記実施形態の第１対称性検査のように、回転角度を３０°（３６０°／（２×６））として対称性検査を行えばよい。
【００６８】
（ｃ）上記実施形態では、２種類の対称性検査を行うことにより、正三角形の錠剤５、正六角形の異種錠５１、及び、円形の異種錠５２を判別している。これに限らず、例えば第１の異種錠混入検査として上記対称性検査を１度行った後、第２の異種錠混入検査として所定の凹凸検査を行うことにより、複数種類の正ｎ×ｍ角形（ｎは３以上、ｍは１以上の自然数）の錠剤を判別する構成としてもよい。
【００６９】
仮に正三角形（ｎ＝３，ｍ＝１）の錠剤５、正六角形（ｎ＝３，ｍ＝２）の異種錠５１、及び、円形の異種錠５２を判別する場合においては、まず錠剤５等をその重心Ｇを中心に３０°（３６０°／（２×３×２））回転して、上記実施形態同様に対称性検査を行い、正三角形の錠剤５及び正六角形の異種錠５１と、円形の異種錠５２とを判別する。その後、認識した錠剤５等の輪郭上の各点と重心Ｇとの距離を算出するとともに（距離算出処理）、図７に示すように、算出された距離のうちの最大値Ｚａと最小値Ｚｂの差（又は比）を算出する（比較処理）。そして、最大値Ｚａと最小値Ｚｂの差（又は比）が許容範囲内である否かを判定する（大小判定処理）。例えば、正三角形の錠剤５に関しては、最大値Ｚａと最小値Ｚｂの差として比較的大きな値が算出される一方、正六角形の異種錠５１に関しては、最大値Ｚａと最小値Ｚｂの差として比較的小さな値が算出されることとなる。これにより、正三角形の錠剤５と、正六角形の異種錠５１とを判別することができる。なお、円形の異種錠５２に関しては、最大値Ｚａと最小値Ｚｂの差が理論的には０となるが、充填姿勢の傾き等の影響により、許容範囲内の小さな差が算出されることもある。
【００７０】
画像の回転処理は、画像処理装置２４にかかる負担が大きくかつ時間のかかる処理である。そのため、ＰＴＰシート１の製造過程においては、画像の回転処理を１つの錠剤５等につき何度も実行することは困難であり、ＰＴＰシート１の生産効率を低下させるおそれがある。これに対し、本実施形態によれば、画像の回転処理を極力少なくして、任意の形状の錠剤と、それ以外の異形状の錠剤とを判別することができる。
【００７１】
（ｄ）上記実施形態では、対称性検査により、錠剤５等の領域うち、回転の前後で重ならない部分の領域の面積の合計を差分面積Ｓｘとして算出し、その差分面積Ｓｘが予め定められた判定基準値以下か否かを判定することにより、錠剤５等の判別を行う構成となっている。これに限らず、差分面積Ｓｘが錠剤５等において占める割合を算出し、当該割合が許容範囲内か否かを判定することにより、錠剤５等の判別を行う構成としてもよい。
【００７２】
（ｅ）上記実施形態では、照明装置２２から照射され、容器フィルム３を透過した透過光をカメラ２３により撮像し、錠剤５等の検査を行う構成となっている。これに限らず、錠剤５等から反射した反射光を撮像し、検査を行う構成としてもよい。反射光を利用した検査によれば、容器フィルム３に密封用フィルム４が取着された後段階においても、錠剤５等の検査を行うことが可能となる。
【符号の説明】
【００７３】
１…ＰＴＰシート、２…ポケット部、３…容器フィルム、４…密封用フィルム、５…錠剤、７…ＰＴＰ包装機、２１…錠剤検査装置、２２…照明装置、２３…カメラ、２４…画像処理装置、５１，５２…異種錠、Ｇ…重心、Ｓｘ…差分面積、Ｓ１，Ｓ２…判定基準値。
【図１】
2011112527.tif 000003
【図２】
2011112527.tif 000004
【図３】
2011112527.tif 000005
【図４】
2011112527.tif 000006
【図５】
2011112527.tif 000007
【図６】
2011112527.tif 000008
【図７】
2011112527.tif 000009